(57)【要約】【課題】共通の軒樋吊り具を用いて、屋根勾配の異なるものに対して簡単な構成で軒樋吊り具が水平姿勢となるように取付けることができる。【解決手段】前面に嵌め込み凹部１を有し且つ上下方向の肉厚が一方の端部側が厚く且つ他方の端部側ほど薄くなるように前面に対して後面が傾斜した傾斜座板２を形成する。前面に対する後面の傾斜角度が異なる複数種類の傾斜座板２を用意する。取付け状態で傾斜座板２の前面が垂直姿勢となるように上記傾斜角度の異なる複数種類の傾斜座板２のうち任意の傾斜角度の傾斜座板２を選択して軒先に設けた傾斜した鼻板３の前面に固着具４により固着する。傾斜座板２の前面に設けた嵌め込み凹部１に軒樋吊り具Ａの後端部に設けた垂直固定板部５を上方からのスライドにより嵌め込んで取付ける。【選択図】図１
2008184749.tif 000002
【特許請求の範囲】
【請求項１】
垂直面となった前面に嵌め込み凹部を有し且つ後面が前面に対して上下方向に傾斜した傾斜座板を形成すると共に、該傾斜座板として前面に対する後面の傾斜角度が異なる複数種類のものを備え、取付け状態で傾斜座板の前面が垂直姿勢となるように上記傾斜角度の異なる複数種類の傾斜座板のうち任意の傾斜角度の傾斜座板を選択して軒先に設けた傾斜した鼻板の前面に固着具により固着し、該傾斜座板の前面に設けた嵌め込み凹部に軒樋吊り具の後端部に設けた垂直固定板部を上方からのスライドにより嵌め込んで取付けて成ることを特徴とする軒樋吊り具の取付け構造。
【請求項２】
嵌め込み凹部に垂直固定板部を嵌め込んだ状態で垂直固定板部に設けた孔と傾斜座板に設けた孔とが前後に連通し、該連通した孔に垂直固定板部側から挿通した固着具を鼻板に固着して成ることを特徴とする請求項１記載の軒樋吊り具の取付け構造。
【発明の詳細な説明】
【技術分野】
【０００１】
本発明は、建物の軒先の鼻板に軒樋吊り具を取付けるための技術に関するものである。
【背景技術】
【０００２】
従来から、特許文献１により、軒樋吊り具の後端部の固定部を前後に２分割し、前部を後面が傾斜面となった前傾斜部、後部を前面が傾斜面となった後傾斜部とすると共に、前傾斜部の後面に後継者部の前面を当接した状態で回動軸により回動自在としたものが知られている。この従来例は軒先の鼻板の前面に固定部の後傾斜部の後面を当接して固着することで、軒樋吊り具を水平姿勢に取付けるようにしたものであり、同一屋根勾配で鼻板が垂直な場合と鼻板が屋根と直角となるように傾斜している場合の両方の場合に対応できるようにしたものである。つまり、同一屋根勾配で鼻板が垂直な場合と、鼻板が屋根に対して直角となるように傾斜している場合とでは、後傾斜部を前傾斜部に対して１８０°回転することで、つまり上下逆となるように回転することで対応するようにしており、いずれも軒樋吊り具を所定の正しい姿勢となるように取付けるようにしている。
【０００３】
しかしながら、この従来例にあっては、軒樋吊り具として、固定部が前後に２分割され、しかも、傾斜面を面接触させた状態で回動自在にできる特別な機構のものとしなければならない。
【０００４】
しかも、軒樋吊り具の固定部が前傾斜部と後傾斜部とを回動自在に軸支したものであるため、施工中に後傾斜部が前傾斜部に対して回動して施工がし難いという問題がある。
【０００５】
また、屋根勾配としては４寸勾配、５寸勾配、６寸勾配等があるが、これら屋根勾配が異なるものに対してはそれぞれ、異なる種類の軒樋吊り具を必要とし、軒樋吊り具として屋根勾配に対応した複数種類のものが必要となって、コストアップとなるという問題があった。
【特許文献１】特開平４−２６９２５４号公報
【発明の開示】
【発明が解決しようとする課題】
【０００６】
本発明は上記の従来の問題点に鑑みて発明したものであって、垂直となった鼻板に単独で取付けて使用することができる軒樋吊り具を用いて、屋根勾配の異なるものにおいてそれぞれ屋根に対して直角となるように傾斜した鼻板に対して簡単な構成で軒樋吊り具が所定の正しい姿勢となるように取付けることができる軒樋吊り具の取付け構造を提供することを課題とするものである。
【課題を解決するための手段】
【０００７】
上記課題を解決するために本発明に係る軒樋吊り具の取付け構造は、垂直面となった前面２ａに嵌め込み凹部１を有し且つ後面２ｂが前面２ａに対して上下方向に傾斜した傾斜座板２を形成すると共に、該傾斜座板２として前面２ａに対する後面２ｂの傾斜角度が異なる複数種類のものを備え、取付け状態で傾斜座板２の前面が垂直姿勢となるように上記傾斜角度の異なる複数種類の傾斜座板２のうち任意の傾斜角度の傾斜座板２を選択して軒先に設けた傾斜した鼻板３の前面に固着具４により固着し、該傾斜座板２の前面２ａに設けた嵌め込み凹部１に軒樋吊り具Ａの後端部に設けた垂直固定板部５を上方からのスライドにより嵌め込んで取付けて成ることを特徴とするものである。
【０００８】
このような構成とすることで、屋根２０に対して鼻板３が直角となっている場合は、当該屋根２０の屋根勾配に対応する傾斜の傾斜座板２を鼻板３に取付けて該傾斜座板２の前面２ａを垂直となるようにすることで、該鼻板３の前面に固着した傾斜座板２の垂直な前面２ａに設けた嵌め込み凹部１に、垂直となった共通の軒樋吊り具Ａの垂直固定板部５を嵌め込むだけで、各種屋根勾配に対応して軒樋吊り具Ａを所定の正しい姿勢となるように取付けることができる。また、屋根勾配にかかわらず鼻板３が垂直となっている場合は、軒樋吊り具Ａの垂直固定板部５を直接鼻板３に取付けて軒樋吊り具Ａを所定の姿勢となるように取付けることも可能となる。
【０００９】
また、嵌め込み凹部１に垂直固定板部５を嵌め込んだ状態で垂直固定板部５に設けた孔６と傾斜座板２に設けた孔７とが前後に連通し、該連通した孔６、７に垂直固定板部５側から挿通した固着具４を鼻板３に固着することが好ましい。
【００１０】
このような構成とすることで、傾斜座板２を鼻板３に固着具４で固着した後、傾斜座板２の嵌め込み凹部１に軒樋吊り具Ａの垂直固定板部５を嵌め込んで仮止めし、この仮止め状態で固着具４により垂直固定板部５を傾斜座板２を介して鼻板３に固着できるので、軒先という高所における取付け作業が簡単且つ確実に行える。
【発明の効果】
【００１１】
本発明は、上記のように構成したので、垂直となった鼻板に単独で取付けて使用することができる軒樋吊り具を用いて、屋根勾配の異なるものにおいてそれぞれ屋根に対して直角となるように傾斜した鼻板に対して簡単な構成で軒樋吊り具が水平姿勢となるように取付けることができ、この結果、傾斜の異なる複数種類の傾斜座板を用意するのみで、一種類の軒樋吊り具を用いて傾斜の異なる種々の屋根勾配に対応させることができる。
【発明を実施するための最良の形態】
【００１２】
以下、本発明を添付図面に示す実施形態に基いて説明する。
【００１３】
図１に示すように、傾斜座板２は前面２ａが垂直面となり且つ後面２ｂが前面２ａに対して上下方向に傾斜した傾斜面となっている。言い換えると、傾斜座板２は前面２ａが垂直面となり、且つ、上下方向の肉厚が下端側が厚く且つ上端側ほど次第に薄くなるように構成してある。傾斜座板２の垂直な前面２ａには嵌め込み凹部１が設けてある。この嵌め込み凹部１は、傾斜座板２の垂直な前面２あの上部の左右両側に設けた上方及び左右に対向する対向側方に開口した横断面Ｌ字状をした左右の上嵌め込み凹部１ａと、上方及び左右両側方が開口した縦断面Ｌ字状をした下嵌め込み凹部１ｂとで構成してある。また、傾斜座板２には複数の孔７が形成してある。
【００１４】
本発明においては、基本構成が上記のような構成で且つ垂直な前面２ａに対する後面２ｂの傾斜角度が異なる複数種類の傾斜座板２をあらかじめ形成しておく。
【００１５】
例えば、屋根勾配としては一般に４寸勾配、５寸勾配、６寸勾配であるが、図１に示す実施形態では４寸勾配、５寸勾配、６寸勾配の各屋根２０に対応して、それぞれ後面２ｂの前面２ａに対する角度を設定した（後述の図２、図４、図５でα、β、γとなるように設定した）３種類の傾斜座板２（２Ａ、２Ｂ、２Ｃ）を形成した例を示している。
【００１６】
ここで、角度αは、図２のように４寸勾配の屋根２０の勾配線Ｌ１に対して傾斜座板２の後面２ｂを９０°とした場合に前面２ａが垂直となる角度であり、角度βは、図４に示すように５寸勾配の屋根２０の勾配線Ｌ２に対して傾斜座板２の後面２ｂを９０°とした場合に前面２ａが垂直となる角度であり、角度γは、図５に示すように６寸勾配の屋根２０の勾配線Ｌ３に対して傾斜座板２の後面２ｂを９０°とした場合に前面２ａが垂直となる角度に設定してある。
【００１７】
軒樋吊り具Ａは板状をした垂直な垂直固定板部５の前面部中央から前方に腕部１１を一体に突設し、腕部１１の前後に軒樋８の前側耳部と後側耳部とを取付けるための耳取付け部１０を設けてある。軒樋吊り具Ａの垂直固定板部５には複数の孔６が設けてある。
【００１８】
しかして、屋根勾配が図２のような４寸勾配の場合で且つ屋根２０に対して軒先の鼻板３が直角となるように傾斜している現場において軒樋吊り具Ａを取付ける場合には、図１示す傾斜角度が異なる複数の傾斜座板２のうち、垂直な前面２ａに対する後面の傾斜角度がαとなった４寸勾配用の傾斜座板２Ａを選んで、傾斜した鼻板３の前面に取付ける。この場合、傾斜座板２は厚みの薄い方が上となるように後面２ｂを鼻板３の前面に当接した状態で複数の孔７のうち任意の孔７に固着具４を挿入して鼻板３に固着する。これにより、４寸勾配用の傾斜座板２Ａの前面２ａが垂直姿勢となるように取付けられる。
【００１９】
この状態で、４寸勾配用の傾斜座板２Ａの前面に設けた嵌め込み凹部１に軒樋吊り具Ａの後端部に設けた垂直固定板部５を上方からのスライドにより嵌め込んで取付ける。このように、傾斜座板２Ａの嵌め込み凹部１に軒樋吊り具Ａの垂直固定板部５を嵌め込んで仮止めした状態で垂直固定板部５に設けた孔６と傾斜座板２に設けた孔７とを前後方向に連通させ、連通した孔６、７に垂直固定板部５側から挿通した固着具４を鼻板３に固着することで、垂直固定板部５を４寸勾配用の傾斜座板２Ａを介して鼻板３に固着する。
【００２０】
また、屋根勾配が図４のような５寸勾配の場合で且つ屋根２０に対して軒先の鼻板３が直角となるように傾斜している現場において軒樋吊り具Ａを取付ける場合には、図１示す傾斜角度が異なる複数の傾斜座板２のうち、垂直な前面２ａに対する後面の傾斜角度がβとなった５寸勾配用の傾斜座板２Ｂを選んで、傾斜した鼻板３の前面に取付ける。この場合、５寸勾配用の傾斜座板２Ｂの前面２ａが垂直姿勢となるように取付けられる。
【００２１】
この状態で、前述の実施形態と同様に５寸勾配用の傾斜座板２Ｂの前面に設けた嵌め込み凹部１に軒樋吊り具Ａの後端部に設けた垂直固定板部５を上方からのスライドにより嵌め込んで取付けて、固着具４により垂直固定板部５を５寸勾配用の傾斜座板２Ｂを介して鼻板３に固着する。
【００２２】
また、屋根勾配が図５のような６寸勾配の場合で且つ屋根２０に対して軒先の鼻板３が直角となるように傾斜している現場において軒樋吊り具Ａを取付ける場合には、図１示す傾斜角度が異なる複数の傾斜座板２のうち、垂直な前面２ａに対する後面の傾斜角度がγとなった６寸勾配用の傾斜座板２Ｃを選んで、傾斜した鼻板３の前面に取付ける。この場合、６寸勾配用の傾斜座板２Ｃの前面２ａが垂直姿勢となるように取付けられる。
【００２３】
この状態で、前述の実施形態と同様に６寸勾配用の傾斜座板２Ｃの前面に設けた嵌め込み凹部１に軒樋吊り具Ａの後端部に設けた垂直固定板部５を上方からのスライドにより嵌め込んで取付けて、固着具４により垂直固定板部５を６寸勾配用の傾斜座板２を介して鼻板３に固着する。
【００２４】
このように、屋根勾配が異なっても、スペーサとなる傾斜座板２を各屋根勾配に対応して複数種類用意することで、１種類の軒樋吊り具Ａを所定の姿勢となるようにそれぞれ屋根勾配の異なる各現場で取付けることができる。
【００２５】
ところで、鼻板３は上記のように屋根２０に対して直角となるように取付けられる場合と、屋根勾配に関係なく図６のように垂直となるように取付けられる場合とがある。
【００２６】
このように屋根勾配に関係なく鼻板３が垂直に取付けられる場合は、図６のように上記の軒樋吊り具Ａの垂直固定板部５を直接垂直となった鼻板３の前面に当接して固着具により固着する。これにより、軒樋吊り具Ａを所定の姿勢となるように取付けることができる。
【００２７】
つまり、図２、図４、図５、図６のいずれの場合も軒樋吊り具Ａは同一の所定の姿勢となり、屋根勾配にかかわらず同一の所定姿勢となるように鼻板３に取付けられた軒樋吊り具Ａを用いて、軒樋を同じ姿勢で取付けることができる。
【図面の簡単な説明】
【００２８】
【図１】本発明に用いる軒樋吊り具と複数種類の傾斜座板を示す分解斜視図である。
【図２】同上の軒樋吊り具を傾斜座板を介して鼻板に取付けた状態の一例の断面図である。
【図３】同上の斜視図である。
【図４】同上の軒樋吊り具を傾斜座板を介して鼻板に取付けた状態の他例の断面図である。
【図５】同上の軒樋吊り具を傾斜座板を介して鼻板に取付けた状態の更に他例の断面図である。
【図６】同上の軒樋吊り具を直接垂直な鼻板に取付けた例を示す断面図である。
【符号の説明】
【００２９】
Ａ  軒樋吊り具
１  嵌め込み凹部
２  傾斜座板
３  鼻板
４  固着具
５  垂直固定板部
６  孔
７  孔
【図１】
2008184749.tif 000003
【図２】
2008184749.tif 000004
【図３】
2008184749.tif 000005
【図４】
2008184749.tif 000006
【図５】
2008184749.tif 000007
【図６】
2008184749.tif 000008